(57)【特許請求の範囲】
【請求項１】
取付基板の上部に開設した球入孔と、
外周側面に球収容部と特別球収容部とを形成し前記球入孔から導かれ流入したパチンコ球を前記球収容部または特別球収容部のいずれかに受け入れる回転筒体と、
前記特別球収容部と連通し、球検出器を備えると共に底面を開閉自在に閉塞する水平なシャッター板を進退自在に設けてなり、前記特別球収容部を介して流入する前記パチンコ球を検出して遊技者に有利な特別遊技状態を発生させると共に、そのパチンコ球を前記シャッター板の上面に一時的に保留させるようにした球貯留部と、
流入したパチンコ球を検出することにより遊技者にとって有利な特別遊技状態を発生させるための球検出器を備え、前記パチンコ球を入賞球として処理する特別球通路と、
流入するパチンコ球を単に入賞球として処理する通常球通路と、
前記球貯留部と前記特別球通路および前記通常球通路との間に配設され、前記球貯留部から排出される前記パチンコ球を前記特別球通路か前記通常球通路のいずれかに振り分ける球振分手段とよりなり、
前記球貯留部に流入した前記パチンコ球を検出することにより生ずる特別遊技状態が終了したことを条件として、前記球貯留部から排出される前記パチンコ球を前記球振分手段により前記いずれか一方の球通路へ振り分けるようにしたことを特徴とするパチンコ機の入賞装置。
【発明の詳細な説明】
【０００１】
【産業上の利用分野】
本発明は、パチンコ機の入賞装置に関するものである。
【０００２】
【従来の技術】
従来、パチンコ機の入賞装置として、例えば次のようなものが有る。すなわち、極めて入賞する確率の低い球入孔の下方に、該球入孔と連通し、該球入孔から導かれるパチンコ球を受ける球振分部が設けられ、また、該球振分部には、底面が中心に向って下傾する円形の球受板が水平に配置され、底面にパチンコ球が通過し得る３個の透孔が等間隔位置に開設される。その内、１個の透孔がＶ入賞孔として設定され、該透孔の下部に流入したパチンコ球を検出する球検出器が配置されて構成されている。
【０００３】
そして、前記球入孔から流入したパチンコ球が前記３個の入賞孔の内、偶然にＶ入賞孔に入ると、球検出器により検出され、一度に多くの景品球を得ることができる遊技者にとって有利な特別遊技状態が発生するようにしている。
【０００４】
【発明が解決しようとする課題】
しかしながら、１個のパチンコ球がＶ入賞孔に入って特別遊技状態となり、一度に多くの景品球を得ても、通常、パチンコ球が球入孔に入り、続いてＶ入賞孔に入る確率は極めて低いことから、前記特別遊技状態が終了した後に２個目のパチンコ球がＶ入賞孔に入り再度特別遊技状態が発生するまでせっかく獲得した持ち球が減ってしまうことになる。このため、遊技者に不満を抱かせ、ゲームの興趣が殺がれるばかりか、パチンコホール側にとっても遊技者へのサービスに欠けることとなり不評であるという課題が有った。
【０００５】
そこで、本発明は上記課題を解決すべくなされたもので、１個のパチンコ球によって２回目の特別遊技状態を生ずる可能性を持たせることにより、遊技者に期待感を抱かせて遊技の興趣を高めると共に遊技客へのサービス向上につながるパチンコ球の入賞装置を提供することを目的とする。
【０００６】
【課題を解決するための手段】
かかる目的を達成するため、本発明のパチンコ機の入賞装置は、取付基板の上部に開設した球入孔と、外周側面に球収容部と特別球収容部とを形成し前記球入孔から導かれ流入したパチンコ球を前記球収容部または特別球収容部のいずれかに受け入れる回転筒体と、前記特別球収容部と連通し、球検出器を備えると共に底面を開閉自在に閉塞する水平なシャッター板を進退自在に設けてなり、前記特別球収容部を介して流入する前記パチンコ球を検出して遊技者に有利な特別遊技状態を発生させると共に、そのパチンコ球を前記シャッター板の上面に一時的に保留させるようにした球貯留部と、流入したパチンコ球を検出することにより遊技者にとって有利な特別遊技状態を発生させるための球検出器を備え、前記パチンコ球を入賞球として処理する特別球通路と、流入するパチンコ球を単に入賞球として処理する通常球通路と、前記球貯留部と前記特別球通路および前記通常球通路との間に配設され、前記球貯留部から排出される前記パチンコ球を前記特別球通路か前記通常球通路のいずれかに振り分ける球振分手段とよりなり、前記球貯留部に流入した前記パチンコ球を検出することにより生ずる特別遊技状態が終了したことを条件として、前記球貯留部から排出される前記パチンコ球を前記球振分手段により前記いずれか一方の球通路へ振り分けるようにした構成からなる。
【０００７】
【作用】
球入孔から導かれたパチンコ球が球貯留部に流入すると、球検出器で検出されると共に遊技者に有利な特別遊技状態が発生し、遊技者は多くの景品球を得ることができる。また、この間、前記パチンコ球は、シャッター板の上面に一時的に保留される。
【０００８】
次に、前記特別遊技状態が終了したことを条件として、シャッター板が摺動して球貯留部の底面を開放し、パチンコ球を下方へ排出する。そして、該パチンコ球を球振分手段によって特別球通路か通常球通路のいずれかに振り分けるようにしている。そこで、特別球通路にパチンコ球が流入すると球検出器により検出され２回目の特別遊技状態が連続して発生することとなる。一方、前記パチンコ球が通常球通路に流入すると単に入賞球として処理される。
【０００９】
【実施例】
以下、本発明に係るパチンコ機の入賞装置の一実施例を図面と共に説明する。図１は入賞装置の斜視図、図２は同分解斜視図、図３は正面断面図、図４は中央縦断側面図をそれぞれ示す。入賞装置１は、主枠体２と該主枠体２の後側に装着される中枠体３および該中枠体３の後側に装着される後枠体４から大略構成されている。
【００１０】
前記主枠体２は、遊技盤の前面に取付られる取付基板２０１を有し、該取付基板２０１に円形の開口２０２が形成される。その開口２０２の周縁に沿う前面に前面枠２０３が突設され、また取付基板２０１の後側には開口２０２を囲い、かつ後側が開放される箱枠２０４が設けられている。
【００１１】
前記取付基板２０１の上部中央に球入孔２０５が設けられる。また、前面枠２０３の上部中央に球入孔２０５と連なる入賞口２０６が設けられ、下部中央に切欠部２０７が設けられる。切欠部２０７の下側には、該切欠部２０７と連通する特別球通路２０８が形成され、該特別球通路２０８内に、流入するパチンコ球を検出するための球検出器５が備えられる。６は前面枠２０３の前面に取着される環状の前面板である。
【００１２】
箱枠２０４の上部中央に球入孔２０５と連通し、かつ該球入孔２０５から流入したパチンコ球を箱枠２０４内に導く球通路２０９が形成されている。
【００１３】
前記中枠体３は箱枠２０４の後端面に当接してビス止めされる中基板３０１を有し、該中基板３０１の前面に、前端面が開放した円筒状の支持筒体３０２が突設され、また、該支持筒体３０２の外側に同心円状の環状畝部３０３が周設される。
【００１４】
支持筒体３０２の上部中央には、上下に貫通する球貯留部３０４が設けられる。該球貯留部３０４には、流入したパチンコ球を検出する球検出器７が備えられ、また底面を開閉自在に閉塞する水平なシャッター板８が進退自在に設けられる。そこで、常態では球貯留部３０４に流入したパチンコ球は図４に示すようにシャッター板８の上面に保留される。前記支持筒体３０２の前端両側部に後記する球形振分体１０を軸支する軸受凹部３０５，３０５が設けられ、前端下部には球排出口３０６が設けられている。
【００１５】
９は主枠体２内に配置され、図３の矢視方向に示されるよう横方向へ時計回りに回転し得る回転筒体であり、後端面を開放した短筒状をなし、該後端面の内周縁が前記中枠体３前面の環状畝部３０３に嵌合して支持される。また、回転筒体９の前面に球形振分体１０が臨む透孔９０１が形成され、外周端縁には外方へ突出する鍔部９０２が周設されると共にその前側に環状の平歯車部９０３が形成されている。
【００１６】
更に、回転筒体９の外周側面に、鍔部９０２側に寄せて、複数の羽根板９０４，９０４…が等間隔に突設され、各羽根板９０４，９０４間に後方が開放する球収容部９０５，９０５…が形成される。これら球収容部９０５の内、１つは特別球収容部９０５ａとして設定されており、その底面に前記球貯留部３０４に連通する球落下口９０６が設けられる。前記支持筒体３０２と回転筒体９との間には図３に示すよう球排出口３０６と連通する環状の通常球通路１１が形成され、該通常球通路１１内に流入したパチンコ球は中基板３０１の下部に設けられた排出口９０７から後方へ排出される。
【００１７】
そこで、主枠体２の球入孔２０５を介して球通路２０９内に導かれたパチンコ球はいずれかの球収容部９０５に入りつつ後方へ流出して、中基板３０１前面上部に形成された球案内部３０７に流入し、更に流下端の球通過孔３０８から後方へ排出される。ところが、偶然に特別球収容部９０５ａにパチンコ球が入ると、図４に示すよう該パチンコ球は球落下口９０６を介して球貯留部３０４に流入し、シャッター板８の上面に一時保留されると共に、球検出器５により検出されることとなる。
【００１８】
１０は、前記支持筒体３０２内に嵌入され、球貯留部３０４から排出されるパチンコ球を通常球通路１１か特別球通路２０８のいずれかに振り分ける球振分手段としての球形振分体であり、両側に設けた支軸１０１，１０１が軸受凹部３０５，３０５に軸支され、回転し得るようになっている。また、外周面の中央で前記両支軸１０１，１０１を通る軸線を直交する向きに歯車部１０２を周設し、また該歯車部１０２上の対向する位置に球受口１０３と特別球受口１０４が設けられている。
【００１９】
そして、球貯留部３０４に保留されるパチンコ球はシャッター板８が後方へ後退することにより排出され、前記球受口１０３か特別球受口１０４に受けられ、球形振分体１０の回転と共に前方へ運ばれる。
【００２０】
４は前面が開口した箱状の後枠体である。該後枠体４の上部にシャッター板８が水平に支持され、その下側にソレイド１２が配置される。該ソレイド１２にはその前面に係合孔１２１を有するプランジャ１２２が水平に突設され、該係合孔１２１に前記シャッター板８の下面から突出する係合ピン８０１が嵌入されている。そこで、ソレノイド１２が消磁している時は、プランジャ１２２に巻回されるスプリング１２３の弾発力により該プランジャ１２２が前方へ突出し、これに伴いシャッター板８も前方へ突出して、その先端部が前記球貯留部３０４の底面を塞ぐ。また、ソレノイド１２が励磁すると、プランジャ１２２がスプリング１２３の弾発力に抗して収縮し、これに伴いシャッター板８も後方へ摺動して球貯留部３０４の底面を開放するようにしている。
【００２１】
また、前記後枠体４には左右側壁４０１，４０１の前端縁に設けた切欠軸受部４０２，４０２に両端部を軸支される上部水平軸１３が横断状に配置される。該上部水平軸１３には一側に小径平歯車１４ａと大径平歯車１４ｂが一体に設けられ、大径平歯車１４ｂは図４に示されるよう中枠体３の中基板３０１に開設された縦溝３０９を介して球形振分体１０の歯車部１０２と噛合している。更に、後枠体４内の略中央に水平に設けられた中仕切壁４０３と、下側壁４０４とにそれぞれ設けられた切欠軸受部４０５，４０５に上下端部を軸支される垂直軸１５が配置される。該垂直軸１５の両端に平歯車１６ａ，１６ｂが設けられ、この内上部の平歯車１６ａは前記小径歯車１４ａと噛合している。
【００２２】
１７は前端を主枠体２の取付基板２０１下部の軸孔２１０に軸支されると共に、後端を後枠体４の後側壁４０６下部の軸孔４０７に軸支される下部水平軸であり、図４に示されるよう後端部に前記垂直軸１５下端部の平歯車１６ｂと噛合する冠歯車１８ｂが設けられ、前端部に前記回転筒体９の平歯車部９０３に噛合する平歯車１８ａが設けられる。また、前記後枠体４の後側壁４０６の後側にモータ１９が固着され、該モータ１９の前面に突出する駆動軸２０の先端に前記小径歯車１４ｂに噛合する駆動平歯車２１が設けられる。
【００２３】
そこで、モータ１９が駆動することにより各歯車群を介して球形振分体１０が前方へ回転し、同時に回転筒体９が時計方向に回転することとなる。
【００２４】
本発明に係る入賞装置１は上記構成よりなり、図５に基づきその一使用例を説明する。図５において、２２は遊技盤であり、該遊技盤２２面のガイドレール２３で囲われた遊技部２４のほぼ中央に前記入賞装置１が装着され、その下方に変動入賞装置２５が装着される。該変動入賞装置２５は、取付板２６に横長の球入口２７が開設され、該球入口２７に傾動自在な開閉扉２８が装着される周知の構成のものである。
【００２５】
変動入賞装置２５は、前記球検出器５，７によりパチンコ球が検出されることにより電気的に作動する。すなわち、パチンコ球が検出されることにより遊技者に有利な特別遊技状態となるように設定される。この特別遊技状態になると、前記開閉扉２８が前方へ傾動し一度に多くの入賞球を発生させる。通常、１０個のパチンコ球が入賞するか、または一定の時間（３０秒）経過後に開閉扉２８が球入口２７を閉塞するようにしている。そして、一定の条件の下に前記動作が最大回数１６回繰り返される。なお、図中、２９は一般入賞口、３０はアウト球口である。
【００２６】
そこで、遊技盤２２の遊技部２４に打ち込まれたパチンコ球が偶然入賞装置１の入賞口２０６に入賞すると、球入孔２０５を介して球通路２０９へ導かれる。そして、回転するいずれかの球収容部９０５に入り、続き後方から流出して球案内部３０７に導かれると共にその流下端の球通過孔３０８から後方へ排出される。
【００２７】
一方、偶然に特別球収容部９０５ａにパチンコ球が入ると、球落下口９０６を介して球貯留部３０４に流入し、シャッター板８の上面に乗ってその位置で保留される。同時に、球検出器７により検出される。これにより、特別遊技状態が発生し、変動入賞装置２５の開閉扉２８を、パチンコ球が球入口２７に１０個入賞し、または一定時間（例えば３０秒）経過するまで開成する。
【００２８】
そして、この間少なくとも１個のパチンコ球が球入口２７内のＶ入賞口（図示せず。）に入ると開閉扉２８が閉成した後再び開成し、前記Ｖ入賞口にパチンコ球が入賞することを条件に継続（最高１６回）されることになって遊技者に多大な利益が付与される。そして、前記特別遊技状態が終了すると、ソレノイド１２が励磁してシャッター板８が後方へ摺動され、その中のパチンコ球が回転する球形振分体１０の外周面に乗り、次いで球受口１０３か特別球受口１０４のいずれかに入る。
【００２９】
そこで、図６に示されるよう特別球受部１０４に入ると、球形振分体１０の回転に伴い前方へ落下して特別球通路２０８内に入り入賞球として処理されると同時に、球検出器５で検出され、再び前記変動入賞装置２５が同じ動作を繰り返し、遊技者に多大な利益が与えられる。
【００３０】
一方、図７に示されるよう球受口１０３にパチンコ球が入ると、該球受口１０３の一側に設けられた受片１０５により支持され、特別球通路２０８を通過し、今度は排出口９０７から通常球通路１１を経て後枠体４の後側壁４０６に設けられた出口部４０８から後方へ排出され、単に入賞球として処理される。このように、入賞した１個のパチンコ球で２回目の権利を獲得できる可能性を持たせることができ、しかも１回目の特別遊技状態が終了した後、遊技者の持ち球を余り減らすことなく２回目の特別遊技状態になる可能性が有る。
【００３１】
また、前記球貯留部３０４にパチンコ球が保留されている状態では、仮に入賞口２０６に入賞したパチンコ球が球貯留部３０４内に流入しようとしても、先のパチンコ球上に乗り、そのまま羽根板９０４に横方向から押されて通常球通路１１に落下し、下部の排出口９０７から後側へ流出される。このように、１回目の特別遊技状態の発生中に、入賞口２０６に入賞したパチンコ球が球貯留部３０４に入るようなことはなく、したがって従来しばしば起きていたパンク状態（特別遊技状態の消滅）になる恐れも回避される。
【００３２】
【発明の効果】
以上述べたように、本発明の入賞装置は、特別遊技状態を発生させる球貯留部と同じく特別遊技状態を発生させる特別球通路および通常球通路との間にパチンコ球を振り分ける振分手段を設けるようにしたので、１個のパチンコ球により２回目の特別遊技状態を発生させる可能性を持たせることができる。そして、これにより遊技者に期待感を抱かせ、ゲームの興趣を高めることができ、しかも連続して特別遊技状態が発生すれば、その間の持ち球はほとんど減ることがないのでパチンコホール側にとってもサービスの向上につながるといった有益な効果を奏するものである。
【図面の簡単な説明】
【図１】本発明に係る入賞装置の斜視図。
【図２】同分解斜視図。
【図３】同正面断面図。
【図４】同側面断面図。
【図５】図１の入賞装置が適用される遊技盤の正面図。
【図６】入賞装置の作用を説明する側面断面図。
【図７】入賞装置の作用を説明する側面断面図。
【符号の説明】
１            入賞装置
５            球検出器
７            球検出器
８            シャッター板
９            回転筒体
１０          球形振分体
１１          通常球通路
２０１        取付基板
２０５        球入孔
２０８        特別球通路
３０４        球貯留部
９０５        球収容部
９０５ａ      特別球収容部
【図１】
0003573806.tif 000002
【図２】
0003573806.tif 000003
【図３】
0003573806.tif 000004
【図４】
0003573806.tif 000005
【図５】
0003573806.tif 000006
【図６】
0003573806.tif 000007
【図７】
0003573806.tif 000008